(57)【要約】【解決課題】連続して通過するコインやパチンコ玉を正確にカウントすることができる、フォトセンサを提供する。【解決手段】パッケージ１２に被検出物としてのパチンコ玉１が通過する開口Ｃを設け、発光素子１３及び受光素子１４を所定の位置関係になるようにパッケージ１２に配備する。開口Ｃに対して同じ方向を向いて、かつ発光素子１３と受光素子１４との間の光路が、開口Ｃを連続して通過する被検出物１の接点を通らないよう、発光素子１３と受光素子１４とを配備する。光学部品１６が、発光素子１３及び受光素子１４と開口Ｃを挟んで対峙する位置に配置され、発光素子１３からの光を受けて受光素子１４に向けて光路を形成する。外乱光検出素子１５が外乱光を検出して受光素子１４の出力信号とは異なる信号を出力する。【選択図】図２
2013128570.tif 000002
【特許請求の範囲】
【請求項１】
被検出物を通過するための開口が形成されたパッケージに発光素子と受光素子とが収容されてなるフォトセンサにおいて、
上記発光素子と上記受光素子との間には、上記開口を通過する被検出物同士の接点を通らないよう、光路が形成されており、
上記受光素子の出力信号の立ち上がり又は立ち下がりをカウントすることにより、被検出物を計数可能とすることを特徴とする、フォトセンサ。
【請求項２】
被検出物を通過するための開口が形成されたパッケージに発光素子と受光素子とが収容されてなるフォトセンサにおいて、
上記発光素子と上記受光素子との間には、上記開口を通過する被検出物同士の接点を通らないよう、光路が形成されており、
さらに、外乱光を検出するための外乱光検出素子が、上記開口に臨んで配置されており、
上記外乱光検出素子による出力信号と上記受光素子による出力信号との強度が異なり、
上記受光素子の出力信号の立ち上がり又は立ち下がりをカウントすることにより、被検出物を計数可能とすることを特徴とする、フォトセンサ。
【請求項３】
前記発光素子と前記受光素子とが前記開口に向かって並んで配置され、
光学部品が、前記開口を挟んで前記発光素子及び前記受光素子と対峙する位置に配置されており、
上記光学部品が、前記発光素子から出射して前記開口を通過した光を受け、前記開口を経由して前記受光素子に向けて照射する、請求項１又は２に記載のフォトセンサ。
【請求項４】
前記外乱光検出素子が、前記発光素子と前記受光素子との間に並んで配置されている、請求項２に記載のフォトセンサ。
【請求項５】
前記発光素子と前記受光素子とが前記開口を挟んで対峙する位置に配置されている、請求項１又は２に記載のフォトセンサ。
【請求項６】
前記外乱光検出素子が前記開口に向けて配置されている、請求項２に記載のフォトセンサ。
【請求項７】
前記発光素子及び前記受光素子の前記開口側には絞りがそれぞれ設けられている、請求項１に記載のフォトセンサ。
【発明の詳細な説明】
【技術分野】
【０００１】
本発明は、コインやパチンコ玉をカウントすることができるフォトセンサに関する。
【背景技術】
【０００２】
各種のコイン投入機や遊技機において、コインやパチンコ玉を計数するためにフォトセンサが用いられている。このフォトセンサでは、例えば、コインやパチンコ玉の通路を挟んで発光ダイオード（以下、ＬＥＤと略記する。）と検出素子とが対向するよう配置されており、ＬＥＤから検出素子に入射する光が遮られる回数に基づいて、コインやパチンコ玉を計数している。
【０００３】
このようなフォトセンサにおいて、外乱光や人工光の影響を受けにくく、また意図的に誤検出の誘因が困難なフォトセンサについても開発されている（例えば特許文献１）。
【先行技術文献】
【特許文献】
【０００４】
【特許文献１】特開２００２−１９８５５７号公報
【発明の開示】
【発明が解決しようとする課題】
【０００５】
前述したように、フォトセンサでは、ＬＥＤからの光が遮断されることでコインやパチンコ玉の存在を検出している。しかしながら、コインやパチンコ玉などが連続して通過すると、コインやパチンコ玉を正確にカウントすることが難しくなる。すなわち、パチンコ玉が連続して二個通過している場合であっても、ＬＥＤからの光がパチンコ玉の通過により一回だけ遮断されたと判断されると、正確なカウントはできない。また、不正使用者により外乱光がフォトセンサに照射されると、一個のパチンコ玉が通過したと判断される蓋然性があり、正確なカウントができない。
【０００６】
そこで、本発明では、コインやパチンコ玉が連続して通過しても正確にカウントすることができるフォトセンサを提供することを目的とする。
【課題を解決するための手段】
【０００７】
上記目的を達成するために、本発明の第一の構成は、被検出物を通過するための開口が形成されたパッケージに発光素子と受光素子とが収容されてなるフォトセンサにおいて、発光素子と受光素子との間には、開口を通過する被検出物同士の接点を通らないよう、光路が形成されており、受光素子の出力信号の立ち上がり又は立ち下がりをカウントすることにより、被検出物を計数可能とすることを特徴とする。
【０００８】
また、本発明の第二の構成は、被検出物を通過するための開口が形成されたパッケージに発光素子と受光素子とが収容されてなるフォトセンサにおいて、発光素子と受光素子との間には、開口を通過する被検出物同士の接点を通らないよう、光路が形成されており、さらに、外乱光を検出するための外乱光検出素子が、開口に臨んで配置されており、外乱光検出素子による出力信号と受光素子による出力信号との強度が異なり、上記受光素子の出力信号の立ち上がり又は立ち下がりをカウントすることにより、被検出物を計数可能とすることを特徴とする。
【発明の効果】
【０００９】
本発明の第一及び第二の構成によれば、発光素子と受光素子との間の光路が、開口を通過する被検出物同士の接点を通らないように、発光素子と受光素子とが配置されているため、被検出物がひとつ通過する直前と直後に、それぞれ、発光素子からの光が一方の受光素子に入射される。そのため、被検出物が連続して通過するような場合であっても、一方の受光素子からの出力強度の変化をモニタリングすることで、被検出物の数をカウントすることができる。
【００１０】
特に、本発明の第二の構成によれば、外乱光検出素子は、外乱光を検出して受光素子の出力信号とはレベルの異なる信号を出力するので、受光素子と外乱光検出素子との信号を区別することができ、受光素子からの信号をモニタリングすることで、外乱光の影響を受けずに、被検出物の計数を可能とする。よって、パチンコ玉やコインを投入しないで不正行為による遊技機の使用を防止することができる。
【図面の簡単な説明】
【００１１】
【図１】本発明の実施形態に係るフォトセンサが取り付けられるパチンコ玉の通路を模式的に示す図である。
【図２】本発明の第１の実施形態に係るフォトセンサの内部構造を示す図である。
【図３】本発明の第２の実施形態に係るフォトセンサの内部構造を示す図である。
【図４】本発明の第３の実施形態に係るフォトセンサの内部構造を示す図である。
【図５】本発明の実施形態に係るフォトセンサによる作用を模式的に示す図である。
【図６】本発明の第１の実施形態を具体化したフォトセンサの断面図である。
【図７】図６に示すフォトセンサの分解斜視図である。
【図８】図６に示すフォトセンサの分解斜視図で、図７とは視野方向が異なる図である。
【図９】本発明の各実施形態に係るフォトセンサの回路図である。
【図１０】図９の変形例の回路図である。
【図１１】図９とは異なる本発明の各実施形態に係るフォトセンサの回路図である。
【図１２】図１１の変形例の回路図である。
【図１３】図９及び図１１とは異なる本発明の各実施形態に係るフォトセンサの回路図である。
【図１４】図１３の変形例の回路図である。
【図１５】図９、図１１及び図１３とは異なる本発明の各実施形態に係るフォトセンサの回路図である。
【図１６】図１５の変形例の回路図である。
【図１７】図９乃至図１６とは異なる本発明の各実施形態に係るフォトセンサの回路図である。
【発明を実施するための形態】
【００１２】
以下、図面を参照しながら本発明の実施形態について詳細に説明する。以下の説明においては、パチンコ玉の計数を想定して説明しているが、コインその他の被検出物を計数することは可能である。
【００１３】
図１は本発明の実施形態に係るフォトセンサが取り付けられるパチンコ玉の通路を模式的に示しており、図２は本発明の第１の実施形態に係るフォトセンサの内部構造を模式的に示す図である。
【００１４】
図１に示すように、本発明の実施形態に係るフォトセンサ１０は、通路形成部品３に設けられているパチンコ玉１の通路２に跨るように挿入されている。フォトセンサ１０には、二本の接続用配線１１Ａ，１１Ｂが取り付けられている。
【００１５】
フォトセンサ１０は、例えば図２に示すように、パッケージ１２内で所定位置に、ＬＥＤなどの発光素子１３と、発光素子１３からの光を受光する受光素子１４と、外乱光を監視するための外乱光検出素子１５と、発光素子１３からの光を受光素子１４に導く光学部品１６と、発光素子１３、受光素子１４及び外乱光検出素子１５を含む回路を形成したプリント基板１７と、を備える。図中における矢印は、発光素子１３から受光素子１４に入射される光を示している。
【００１６】
図２における各素子等の配置について説明する。図２において開口Ｃは、パチンコ玉が通過する領域であり、例えば平面視で矩形を有している。発光素子１３と受光素子１４とが矩形の一方側に並んで配置され、光学部品１６としてのプリズムが発光素子１３及び受光素子１４に対向して矩形の他方側に配置されている。外乱光検出素子１５は、発光素子１３と受光素子１４とが配置されている側で、受光素子１３と受光素子１４との間に配置されている。プリント基板１７には接続コネクタ１８が接続され、外部に受光素子１４及び外乱光検出素子１５からの信号を出力可能とする。
【００１７】
発光素子１３及び受光素子１４は、何れも、開口Ｃの中心に向いておらず、かつ、開口Ｃの中心を通る仮想線Ｌ、つまり、通路２においてパチンコ玉１の通過方向の中心軸線（図５（Ａ）に符号Ｌで示すライン）からずれるように配置されている。これは、実際に二個のパチンコ玉１が通過した場合であっても一個のパチンコ玉１しか通過しないと判断されないようにするためである。仮に発光素子１３及び受光素子１４が開口Ｃの中心を向いていたとすると、発光素子１３からの光が受光素子１４に入射していた状態において二個のパチンコ玉１、１が開口Ｃを連続して通過することにより発光素子１２からの光が遮断されるが、２個目のパチンコ玉１が通過した後に再度発光素子１３からの光が受光素子１４に入射されるからである。
【００１８】
さらに、図２に示すセンサ１０の内部構造について説明すると、発光素子１３には光が出射する側に、受光素子１４及び外乱光検出素子１５には光が入射する側に、絞り１９Ａ、１９Ｂ、１９Ｃが設けられている。絞り１９Ａは発光素子１３の照射側に設けられており、発光素子１３からの光が外部に漏れないように光路を形成する。絞り１９Ｂは受光素子１４の直前に配置されており、直進する光のみを入射するよう光路を形成する。一方、絞り１９Ｃは外乱光検出素子１５の直前に配置されており、直進する光以外に斜めに入射する光も入射させる光路を形成している。そのため、図２乃至図４では具体的に示していないが、絞り１９Ａ，１９Ｂは、開口に向かってほぼ同じ径を有しているのに対し、絞り１９Ｃは開口に向かって上下左右に広がって拡径していることが望ましい。なお、図２においては、パッケージ１２に形成された絞り１９Ａ，１９Ｂ、つまり、パッケージ１２において光の通過領域との境界が凹凸の断面形状を有しており、絞り１９Ａ，１９Ｂが光の通過方向に沿って複数の領域が連続した蛇腹形状となっている。しかし、絞り１９Ａ，１９Ｂの形状は図２や後述の図３及び図４に示す態様に限定されず、例えば後述する図６に示す絞り３０Ａ，３０Ｂのように一つの領域からなる態様であっても構わない。
【００１９】
本発明の第１の実施形態では、パッケージ１２の開口Ｃを臨むように発光素子１３と受光素子１４とがパッケージ１２に収容されており、発光素子１３と受光素子１４との間の光路が被検出物同士の接点を通らないよう、発光素子１３と受光素子１４とが配置されている。よって、パッケージ１２の開口Ｃに対して被検出物が連続して通過する場合であっても、被検出物であるパチンコ玉１の数は受光素子１４の出力信号の立ち上がり回数又は立ち下がり回数に一対一に対応し、出力信号の立ち上がり又は立ち下がりの数により、開口を通過するパチンコ玉１について正確な計数を行える。
【００２０】
さらに、パッケージ１２に収容された外乱光検出素子１５は、外乱光を検出して受光素子１４の出力信号とは強度の異なる信号、特に強度の高い信号を出力する。よって、受光素子１４からの出力信号は、外乱光検出素子１５からの出力信号と区別することができる。そこで、受光素子１４及び外乱光検出素子１５からの出力信号を接続用配線１１Ａ，１１Ｂから取り出し、接続用配線１１Ａ，１１Ｂからの出力信号のうち、受光素子１４による出力信号のみをモニターすることが可能となる。その結果、外乱光の影響をなくしてパチンコ玉１などの被検出物の有無を判断することができる。
【００２１】
次に他の実施形態について説明する。図３は本発明の第２の実施形態に係るフォトセンサの内部構造図である。フォトセンサ６０は、図２と同様、被検出物が通過する開口Ｃが設けられている。発光素子６３から受光素子６４に到るまでの光路が開口Ｃの中心を通らないように、発光素子６３と受光素子６４とが矩形状の開口Ｃに対向する位置に配置されている。また、図３に示す形態では、外乱光検出素子６５が開口Ｃに臨んで、受光素子６４に並んで同じ側に設けられている。なお、図３とは異なり、外乱光検出素子６５は発光素子６３と並んで同じ側に設けられていてもよい。
【００２２】
図４は本発明の第３の実施形態に係るフォトセンサの内部構造図である。フォトセンサ７０は、図２と同様、被検出物が通過する開口Ｃが設けられている。発光素子７３から受光素子７４に到る光路が開口Ｃの中心を通らないように、発光素子７３と受光素子７４とが矩形状の開口Ｃに対向する位置に配置されている。フォトセンサ７０では、図３と異なり、外乱光検出素子７５が発光素子７３と受光素子７４とを結ぶ方向と交差、好ましくは直交する位置で、開口Ｃに臨んで配置されている。
【００２３】
図３及び図４に示す何れの形態においても、各発光素子６３，７３の照射前側に、絞り６９Ａ，７９Ａが設けられ、これらの絞り６９Ａ，７９Ａは発光素子６３，７３からの光が外部に漏れないように光路を形成する。また、受光素子６４，７４の入射前側に、絞り６９Ｂ，７９Ｂが受光素子６４，７４の直前に配置されており、これらの絞り６９Ｂ，７９Ｂは直進する光のみを入射するよう光路を形成する。一方、絞り６９Ｃ，７９Ｃは外乱光検出素子６５，７５の直前に配置されており、直進する光以外に斜めに入射する光も入射する。発光素子６３，７３と受光素子６４，７４とによりフォトインタラプタが構成されており、絞り６９Ａ，６９Ｂ，７９Ａ，７９Ｂを設けることにより、発光素子６３，７３からの光以外の光が受光素子６４，７４に入射しない。また、絞り６９Ｃ，７９Ｃが設けられ、広く光を入射するようにしたことから、外乱光を確実に受けて、誤判を誘引しない。よって、フォトセンサの性能を確保することができる。
【００２４】
ここで、何れの実施形態においても、発光素子１３，６３，７３及び受光素子１４，６４，７４は、何れも、矩形Ｃの中心に向いておらず、かつ、矩形Ｃの中心を通る仮想線、つまり、通路２の中心軸線からずれるように配置されている。この点について、詳細に説明する。
【００２５】
図５は本発明の第１の実施形態に係るフォトセンサ１０の作用を説明するための模式図であり、（Ａ）は通路２にパチンコ玉１Ａ，１Ｂが連続して通過している様子を模式的に描いた図であり、（Ｂ）は発光素子１３の発光強度の時系列を示し、（Ｃ）は本発明の第１の実施形態のように発光素子１３と受光素子１４とが配置されている場合の受光素子１４の出力信号波形であり、（Ｄ）は好ましくない状態での受光素子の出力信号波形である。
【００２６】
図５（Ａ）に示すように、発光素子１３からの光Ｌ１と受光素子１４に向かう光Ｌ２とが、連続して通過するパチンコ玉１Ａ，１Ｂの接点から離れた位置にある場合、発光素子１３から図５（Ｂ）に示すように連続光が出力されるとする。パチンコ玉１Ａとパチンコ玉１Ｂが通過する時間ｔ１，ｔ２では発光素子１３からの光は遮断され、受光素子１４には到達しない。しかしながら、時間ｔ１と時間ｔ２との間では必ず、発光素子１３からの光が受光素子１４に入射されるので、パチンコ玉１Ａ，１Ｂが連続して通過する場合であっても、正確に、パチンコ玉１Ａ，１Ｂのカウントをすることができる。
【００２７】
図５（Ａ）に示す場合とは異なり、発光素子１３からの光Ｌ１と受光素子１４に向かう光Ｌ２とが、連続して通過するパチンコ玉１Ａ，１Ｂの接点上に存在する場合、受光素子の出力信号波形は図５（Ｄ）に示すように、出力信号が低下する部分が一つとなる。その結果、二つの連続したパチンコ玉は一つとカウントされることになり、正確な通過数を判断することができない。
【００２８】
図５を参照して説明した事項は、本発明の第２及び第３の実施形態に係るフォトセンサ６０，７０の場合についてもあてはまる。
【００２９】
次に、本発明の第１の実施形態に係るフォトセンサの詳細について更に説明する。図６は本発明の第１の実施形態を具体化したフォトセンサ２０の断面図であり、図７及び図８は図６に示すフォトセンサ２０の分解図で、図７と図８とはそれぞれ別の方向から見た図である。
【００３０】
フォトセンサ２０では、筐体２１と蓋体２２とでパッケージ２３が構成されている。このパッケージ２３に、発光素子２８Ａ、受光素子２８Ｂ及び外乱光検出素子２８Ｃを有するモジュール２８が収容されている。以下詳細に説明する。
【００３１】
筐体２１は、外枠２４と仕切り枠２５とにより、前述の開口Ｃを形成した通路形成部２１Ａと収容部２１Ｂとに大きく区分けされている。外枠２４は被検出物が通過する方向には塞がれておらず、貫通している。収容部２１Ｂは、この外枠２４及び仕切り枠２５に対し外枠２４より低い高さの仕切り２６Ａ，２６Ｂ，２６Ｃが一体に形成され、さらに外枠２４において収容部２１Ｂ側にだけ蓋部２７で覆われることにより、複数の収容領域２７Ａ，２７Ｂ、２７Ｃを画成している。
【００３２】
ここで、例えば、仕切り２６Ａ，２６Ｂは略断面Ｌ字状で対称的に設けられ、仕切り２６Ｃは略断面Ｕ字状であり、仕切り２６Ａと仕切り２６Ｂと仕切り２６Ｃと仕切り枠２５とは一体的に構成されている。第１の収容領域２７Ａには発光素子２８Ａが収容され、第２の収容領域２７Ｂには受光素子２８Ｂが収容され、第３の収容領域２７Ｃには外乱光検出素子２８Ｃが収容されている。
【００３３】
蓋部２７は外枠２４の一方の開口を塞ぐのみならず、第１、第２、第３の収容領域２７Ａ，２７Ｂ，２７Ｃの開口Ｃ側をそれぞれ透過部２７Ｄ，２７Ｅ，２７Ｆで塞いでいる。第１乃至第３の収容領域２７Ａ〜２７Ｃにそれぞれ発光素子２８Ａ，受光素子２８Ｂ，外乱光検出素子２８Ｃを対応して挿入するよう、モジュール２８により、蓋部２７が取り付けられた外枠２４の開口側から覆って、第１乃至第３の収容領域２７Ａ〜２７Ｃをそれぞれ閉じられた空間としている。第１乃至第３の収容領域２７Ａ〜２７Ｃがそれぞれ閉空間となることにより、各領域２７Ａ〜２７Ｃ内に、発光素子２８Ａ，受光素子２８Ｂ，外乱光検出素子２８Ｃにゴミや埃が付着しないようにしている。なお、図６に示されているように、第１の収容領域２７Ａ，第２の収容領域２７Ｂの開口Ｃ側には、絞り３０Ａ，３０Ｂがそれぞれ形成されている。
【００３４】
このように、筐体２１における収容部２１Ｂにモジュール２８が挿入され、蓋体２２でモジュール２８が覆われることで、パッケージ２３に、モジュール２８が収容されている。図６乃至図８には、発光素子２８Ａ、受光素子２８Ｂ及び外乱光検出素子２８Ｃを電気的に接続する回路の詳細は示していない。モジュール２８には、コネクタ接続部２８Ｄが設けられ、コネクタ接続部２８Ｄに図１に示す接続用配線１１Ａ，１１Ｂが接続される。
【００３５】
外枠２４の通路形成部２１Ａにおいては、仕切り枠２５と対向する側に光学部品２９としてのプリズムが設けられている。
【００３６】
ここで、外枠２４、仕切り枠２５及び蓋部２７を含む筐体２１と光学部品２９は二色成形により一体的に構成されている。外枠２４、仕切り枠２５及び仕切り２６Ａ，２６Ｂ，２６Ｃは何れも光吸収率の高い樹脂でなり、蓋部２７のうち透過部２７Ｄ，２７Ｅ，２７Ｆは光透過性の高い樹脂でなる。
【００３７】
次に、本発明の各実施形態において、外乱光検出素子による出力信号が受光素子による出力信号よりも強度を高くするようにした回路の構成について説明する。このような回路構成としては複数考えられる。以下、具体的に説明する。
【００３８】
図９はフォトセンサの回路図である。フォトセンサ１２０は、発光素子としてのＬＥＤ１２３と、ＬＥＤ１２３からの光を検出する受光素子としてのフォトトランジスタ１２４と、外乱光を監視するためのフォトトランジスタ１２５と、を備え、プリント基板上に配置される第１の抵抗１２６、第２の抵抗１２７、トランジスタ１２８及び保護回路としてのツェナーダイオード１２２とで回路構成されている。
【００３９】
フォトセンサ１２０の回路構成を説明すると、外部接続用端子４１Ａ，４１Ｂ（図６参照）に対し、外乱光監視部１２０Ｂにおけるフォトトランジスタ１２５と、保護回路としてのツェナーダイオード１２２と、センサ本体部１２０Ａと、が並列接続されている。
【００４０】
センサ本体部１２０Ａの構成は次の通りである。ＬＥＤ１２３と第１の抵抗１２６とが直列接続され、ＬＥＤ１２３のアノードとフォトトランジスタ１２４の第１主電極としてのコレクタとが外部接続用端子１１７Ａに接続され、フォトトランジスタ１２４の第２主電極としてのエミッタがトランジスタ１２８の制御電極としてのベースに接続され、トランジスタ１２８の第１主電極としてのコレクタがＬＥＤ１２３のカソードと第１の抵抗１２６の一端との接続点に接続され、トランジスタ１２８の第２主電極としてのエミッタが第２の抵抗１２７の一端に接続され、第２の抵抗１２７の他端が第１の抵抗１２６の他端とともに外部接続用端子４１Ｂに接続されている。外部接続用端子４１Ａ，４１Ｂは接続用配線１１Ａ，１１Ｂに接続され、一方の接続用配線１１Ａは直流電圧源Ｖccに接続され、他方の接続用配線１１Ｂには負荷抵抗ＲLの一端が接続され、負荷抵抗ＲLの他端がグランドラインに接続されて接地され、負荷抵抗ＲLに加わる電圧が出力信号となる。
【００４１】
ここで、ツェナーダイオード１２２は、外部接続用端子４１Ａ，４１Ｂの間に異常電圧が加わったときの保護回路として働く。フォトトランジスタ１２５からなる外乱光監視部１２０Ｂは、外乱光が入力されたときに、外部接続用端子４１Ａと外部接続用端子４１Ｂとを導通して、接続用配線１１Ｂに接続された負荷抵抗ＲLに対して電圧Ｖcc−Ｖce(sat)を印加する。よって、外乱光の入力があると、外部接続用端子４１Ａを経由して接続用配線１１Ｂには出力信号としてＶcc−Ｖce(sat)が出力される。ここで、Ｖce(sat)は、フォトトランジスタ１２５におけるコレクタ、エミッタ間の飽和電圧である。
【００４２】
パチンコ玉１が開口Ｃを通過しておらずフォトトランジスタ１２４がＬＥＤ１２３からの光を検出している場合には、トランジスタ１２８がＯＮ状態となる。この状態の等価回路は、第１の抵抗１２６と第２の抵抗１２７との並列接続の一端がＬＥＤ１２３のカソードの一端に接続され、かつ、その並列接続の他端が接続用配線１１Ｂに接続されたものとして表現される。よって、第１の抵抗１２６、第２の抵抗１２７の各抵抗値をＲ1，Ｒ2とすると、パチンコ玉１が通過していない状態では、外部接続用端子４１Ｂからの出力信号が（Ｖcc−ＶF）ＲL／（Ｒ1Ｒ2／（Ｒ1＋Ｒ2）＋ＲL）となる。ここで、ＶFとはＬＥＤ１２３の順方向電圧（「立ち上がり電圧」とも呼ぶ。）である。
【００４３】
パチンコ玉１が通過しておりフォトトランジスタ１２４がＬＥＤ１２３からの光を検出していない場合には、トランジスタ１２８がＯＦＦ状態となる。この等価回路は、Ｖccに対しＬＥＤ１２３と第１の抵抗１２６と負荷抵抗ＲLとが直列接続されたものとして表すことができる。よって、外部接続用端子４１Ｂからの出力信号は、（Ｖcc−ＶF）ＲL／（Ｒ1＋ＲL）となる。ここで、ＶFとはＬＥＤ１２３の順方向電圧（「立ち上がり電圧」とも呼ぶ。）である。
【００４４】
以上説明したように、外乱光があった場合、パチンコ玉１が通過していない場合とパチンコ玉１が通過している場合とで、それぞれ出力信号を、Ｖcc−Ｖce(sat)、（Ｖcc−ＶF）ＲL／（Ｒ1Ｒ2／（Ｒ1＋Ｒ2）＋ＲL）、（Ｖcc−ＶF）ＲL／（Ｒ1＋ＲL）の三段階に区分けすることができるので、出力信号の大きさに応じてパチンコ玉１の通過を確認することができる。
【００４５】
図１０は図９に示すフォトセンサに関する回路の変形例を示す回路図である。図５に示すフォトセンサ１３０の回路において、外部接続用端子４１Ａ，４１Ｂとセンサ本体部１２０Ａと外乱光監視部１３０Ｂを備えている点では図９に示すフォトセンサ１２０と同じであるが、外乱光監視部１３０Ｂの構成が異なる。
【００４６】
外乱光監視部１３０Ｂは、外部接続用端子４１Ａ及び４１Ｂに対して増幅用トランジスタ１３２が並列接続されており、増幅用トランジスタ１３２の制御電極としてのベースに対し光検出素子１３１の第２主電極としてのエミッタが接続されている。すなわち、外乱光監視部１３０Ｂはフォトダーリントントランジスタで構成してもよい。これは、パチンコ玉が通過している状態においてフォトトランジスタ１２４へ影響を及ぼす外乱光が意図的に照射されたとき、外乱光監視部１３０Ｂの設置箇所と光検出素子１３１の検出感度に応じて増幅用トランジスタ１３２により検出感度を増加させるためである。
【００４７】
図１１は、図９とは別の回路構成を示す図である。フォトセンサ１４０は、発光素子としてのＬＥＤ１４３と、ＬＥＤ１４３からの光を検出するフォトトランジスタ１４４と、外乱光を監視するためのフォトトランジスタ１４５と、を備え、プリント基板上に配置される第１の抵抗１４６、第２の抵抗１４７、第３の抵抗１４９Ａ，コンデンサ１４９Ｂ，トランジスタ１４８及び保護回路としてのツェナーダイオード１４２とで回路構成されている。
【００４８】
フォトセンサ１４０の回路構成を説明する。外部接続用端子４１Ａ，４１Ｂに対し、外乱光監視部１４０Ｂとしてのフォトトランジスタ１４５と、保護回路としてのツェナーダイオード１４２と、センサ本体部１４０Ａと、が並列接続されている。外乱光監視部１４０Ｂとツェナーダイオード１４２とは図９における外乱光監視部１２０Ｂとツェナーダイオード１２２と同じ構成、作用であり、外部接続用端子４１Ａ，４１Ｂには接続用配線１１Ａ，１１Ｂが接続され、一方の接続用配線１１Ａは直流電圧源Ｖccに接続され、他方の接続用配線１１Ｂは負荷抵抗ＲLの一端に接続され、負荷抵抗ＲLの他端がグランドラインに接続されて接地され、負荷抵抗ＲLに加わる電圧が出力信号となる。
【００４９】
センサ本体部１４０Ａの構成は次の通りである。ＬＥＤ１４３と第１の抵抗１４６とが直列接続され、フォトトランジスタ１４４と第３の抵抗１４９Ａが直列接続され、ＬＥＤ１４３のアノードとフォトトランジスタ１４４の第１主電極としてのコレクタとが外部接続用端子４１Ａに接続され、フォトトランジスタ１４４の第２主電極としてのエミッタと第３の抵抗１４９Ａの一端との接続点がトランジスタ１４８の制御電極としてのベースに接続され、トランジスタ１４８の第１主電極としてのコレクタに第２の抵抗１４７の一端が接続され、ＬＥＤ１４３のカソード側に第２の抵抗１４７の他端が接続され、トランジスタ１４８の第２主電極としてのエミッタに第１の抵抗１４６及び第３の抵抗１４９Ａの各他端が接続されている。さらに、コンデンサ１４９Ｂが、トランジスタ１４８の第１主電極としてのエミッタと第２主電極としてのコレクタに並列に接続されている。
【００５０】
ＬＥＤ１４３とフォトトランジスタ１４４とのペアは、図９におけるＬＥＤ１２３とフォトトランジスタ１２４とのペアと同じく、パチンコ玉の有無を検出する機能を有する。第１の抵抗１４６は図９における第１の抵抗１２６と同様、ＬＥＤ１４３の駆動電圧を制御する駆動補助抵抗として機能する。トランジスタ１４８は図９におけるトランジスタ１２８と同じく順方向電流の切り替えを行う手段である。第２の抵抗１４７は、図９における第２の抵抗１２７と同じく、負荷抵抗ＲLとで出力電圧を分圧する出力分圧抵抗として機能する。よって、図１１に示すフォトセンサ１４０においても、外乱光があった場合、パチンコ玉１が通過していない場合とパチンコ玉１が通過している場合とで、それぞれ出力信号を、Ｖcc−Ｖce(sat)、（Ｖcc−ＶF）ＲL／（Ｒ1Ｒ2／（Ｒ1＋Ｒ2）＋ＲL）、（Ｖcc−ＶF）ＲL／（Ｒ1＋ＲL）の三段階に区分けすることができるので、出力信号の大きさに応じてパチンコ玉１の通過を確認することができる。
【００５１】
ここで、図１１の回路図においては、トランジスタ１４８とフォトトランジスタ１４４との接続点と外部接続用端子４１Ｂとの間に第３の抵抗１４９Ａを設けているが、図９においては第３の抵抗を同様に設けても設けていなくても回路動作上支障がないので、設けていない。また、図１１の回路図において、トランジスタ１４８のエミッタ及びコレクタ間にコンデンサ１４９Ｂを設けているが、これは、ＬＥＤ１４３のカソード側の電圧を一定に保つことで、ＬＥＤ１４３から出力される光強度を安定化させるためである。また、このコンデンサ１４９Ｂは、トランジスタ１４８がＯＦＦからＯＮになるまでの時間を速くするためでもある。
【００５２】
図１２は図１１に示す回路の変形例を示す回路図である。図１２に示すフォトセンサ１５０の回路において、外部接続用端子４１Ａ，４１Ｂとセンサ本体部１４０Ａと外乱光監視部１５０Ｂを備えている点では図１１に示すフォトセンサ１４０と同じであるが、外乱光監視部１５０Ｂの構成が異なる。
【００５３】
外乱光監視部１５０Ｂは、外部接続用端子４１Ａ及び４１Ｂに対して増幅用トランジスタ１５２が並列接続されており、増幅用トランジスタ１５２の制御電極としてのベースに対しフォトトランジスタ１５１の第２主電極としてのエミッタが接続されている。すなわち、外乱光監視部１５０Ｂはフォトダーリントントランジスタで構成してもよい。これは、パチンコ玉が通過している状態においてフォトトランジスタ１４４へ影響を及ぼす外乱光が意図的に照射されたとき、外乱光監視部１５０Ｂの設置箇所と光検出素子１５１の検出感度に応じて増幅用トランジスタ１５２により検出感度を増加させるためである。
【００５４】
図１３は、フォトセンサの別の回路図である。フォトセンサ１６０は、発光素子としてのＬＥＤ１６３と、ＬＥＤ１６３からの光を検出するフォトトランジスタ１６４と、外乱光を監視するためのフォトトランジスタ１６５と、を備え、プリント基板上に配置される第１の抵抗１６６、第２の抵抗１６７、トランジスタ１６８及び保護回路としてのツェナーダイオード１６２とで回路構成されている。
【００５５】
フォトセンサ１６０の回路構成を説明する。外部接続用端子４１Ａ，４１Ｂに対し、外乱光監視部１６０Ｂとしてのフォトトランジスタ１６５と、保護回路としてのツェナーダイオード１６２と、センサ本体部１６０Ａと、が並列接続されている。外乱光監視部１６０Ｂとツェナーダイオード１６２は、図９における外乱光監視部１２０Ｂとツェナーダイオード１２２と同じ構成、作用であり、外部接続用端子４１Ａ，４１Ｂには接続用配線１Ａ，１１Ｂが接続され、一方の接続用配線１１Ａは直流電圧源Ｖccに接続され、他方の接続用配線１１Ｂは負荷抵抗ＲLの一端に接続され、負荷抵抗ＲLの他端がグランドラインに接続されて接地され、負荷抵抗ＲLに加わる電圧が出力信号となる。
【００５６】
センサ本体部１６０Ａの構成は次の通りである。第１の抵抗１６６とＬＥＤ１６３とが直列接続されており、第１の抵抗１６６のうちＬＥＤ１６３と接続されていない側の一端と、フォトトランジスタ１６４の第１主電極としてのコレクタと、第２の抵抗１６７の一端と、が外部接続用端子４１Ａに接続されている。ＬＥＤ１６３のカソード側は、外部接続用端子４１Ｂに接続されている。フォトトランジスタ１６４の第２主電極としてのエミッタがトランジスタ１６８の制御電極としてのベースに接続されている。トランジスタ１６８の第１主電極としてのコレクタと第２の抵抗１６７の他端が接続されている。トランジスタ１６８の第２主電極としてのエミッタが第１の抵抗１６６及びＬＥＤ１６３のアノードに接続されている。
【００５７】
フォトトランジスタ１６５からなる外乱光監視部６０Ｂは、外乱光が入力されたときに、接続用配線１１Ａと１１Ｂとを導通して、接続用配線１１Ｂに接続された負荷抵抗ＲLに対して電圧Ｖcc−Ｖce(sat)が印加される。よって、外乱光の入力があると、外部接続用端子４１Ｂに出力される電圧はＶcc−Ｖce(sat)となる。ここで、Ｖce(sat)は、フォトトランジスタ１６５におけるコレクタ、エミッタ間の飽和電圧である。
【００５８】
パチンコ玉１が通過しておらずフォトトランジスタ１６４がＬＥＤ１６３からの光を検知している場合には、トランジスタ１６８がＯＮ状態となる。この状態の等価回路は、第１の抵抗１６６と第２の抵抗１６７との並列接続の一端がＬＥＤ１６３のアノードの一端に接続され、他端が外部接続用端子４１Ａに接続されたものとして表される。よって、第１の抵抗１６６、第２の抵抗１６７の各抵抗値をＲ1，Ｒ2とすると、パチンコ玉１が通過していない状態では、外部接続用端子４１Ｂに出力される電圧は（Ｖcc−ＶF）ＲL／（Ｒ1Ｒ2／（Ｒ1＋Ｒ2）＋ＲL）となる。
【００５９】
パチンコ玉１が通過しておりフォトトランジスタ１６４がＬＥＤ１６３からの光を検知していない場合には、トランジスタ１６８がＯＦＦ状態となる。この状態の等価回路は、Ｖccに対し第１の抵抗１５６とＬＥＤ１５３と負荷抵抗ＲLとが直列接続されたものとして表すことができる。よって、外部接続用端子４１Ｂに出力される電圧は、（Ｖcc−ＶF）ＲL／（Ｒ1＋ＲL）となる。ただし、ＶFはＬＥＤ１６３の順方向電圧（立ち上がり電圧とも呼ぶ。）である。
【００６０】
図１３に示すフォトセンサ６０においても、外乱光があった場合、パチンコ玉１が通過していない場合と通過している場合とで、それぞれ出力を、Ｖcc−Ｖce(sat)、（Ｖcc−ＶF）ＲL／（Ｒ1Ｒ2／（Ｒ1＋Ｒ2）＋ＲL）、（Ｖcc−ＶF）ＲL／（Ｒ1＋ＲL）の三段階に区分けすることができるので、出力信号の大きさに応じてパチンコ玉１の通過を確認することができる。
【００６１】
図１４はフォトセンサの別の回路図である。図１４に示すフォトセンサ１７０の回路において、外部接続用端子４１Ａ，４１Ｂとセンサ本体部１６０Ａと外乱光監視部１７０Ｂを備えている点では図１３に示すフォトセンサ１６０と同じであるが、外乱光監視部１７０Ｂの構成が異なる。
【００６２】
外乱光監視部１７０Ｂは、外部接続用端子４１Ａ及び４１Ｂに対して増幅用トランジスタ１７２が並列接続されており、増幅用トランジスタ１７２の制御電極としてのベースに対しフォトトランジスタ１７１の第２主電極としてのエミッタが接続されている。すなわち、外乱光監視部１７０Ｂはフォトダーリントントランジスタで構成してもよい。これは、フォトセンサ１７０において光検出素子１７１が設けられる箇所やフォトセンサ１７０が取り付けられる箇所に応じて、フォトセンサ１７０に入射される外乱光が弱い場合であっても、増幅用トランジスタ１７２により検出感度を増加させるためである。
【００６３】
以上の各回路構成の何れも、センサ本体部１２０Ａ，１４０Ａ，１６０Ａが、ＬＥＤ１２３，１４３，１６３と、このＬＥＤ１２３，１４３，１６３に流れる電流を制御するための第１の抵抗１２６，１４６，１６６と、ＬＥＤ１２３，１４３，１６３からの光を検出するフォトトランジスタ１２４，１４４，１６４と、フォトトランジスタ１２４，１４４，１６４により制御されるトランジスタ１２８，１４８，１６８と、トランジスタ１２８，１４８，１６８に接続される第２の抵抗１２７，１４７，１６７とを含んで構成され、パチンコ玉１の通過の有無に応じて出力電圧の大きさが変化している。また、外乱光監視部１２０Ｂ，１３０Ｂ，１４０Ｂ，１５０Ｂ，１６０Ｂ，１７０Ｂにより外乱光の入力があった場合には、パチンコ玉１が通過している場合と通過していない場合とは別の異なるレベルの電圧を出力する。よって、この出力信号の大きさをモニタリングすることで、外乱光を監視した状態でパチンコ玉１の通過の有無を検出することができる。
【００６４】
図１５はフォトセンサの別の回路図である。フォトセンサ１８０は、発光素子としてのＬＥＤ１８３と、ＬＥＤ１８３からの光を検出するフォトトランジスタ１８４と、外乱光を監視するためのフォトトランジスタ１８５と、を備え、プリント基板上に配置される各抵抗、第１及び第２のトランジスタ１８７，１８８及び保護回路としてのツェナーダイオード１８２とで回路構成されている。
【００６５】
フォトセンサ１８０の回路構成を説明する。外部接続用端子４１Ａ，４１Ｂに対し、外乱光監視部１８０Ｂとしてのフォトトランジスタ１８５と、保護回路としてのツェナーダイオード１８２と、センサ本体部１８０Ａと、が並列接続されている。外乱光監視部１８０Ｂとツェナーダイオード１８２は図９における外乱光監視部１２０Ｂとツェナーダイオード１２２と同じ構成、作用であり、外部接続用端子４１Ａ，４１Ｂには接続用配線１１Ａ，１１Ｂが接続され、一方の接続用配線１１Ａは直流電圧源Ｖccに接続され、他方の接続用配線１１Ｂは負荷抵抗ＲLの一端に接続され、負荷抵抗ＲLの他端がグランドラインに接続されて接地され、負荷抵抗ＲLに加わる電圧が出力信号となる。
【００６６】
センサ本体部１８０Ａの構成は次の通りである。フォトトランジスタ１８４と抵抗１８６とが直列接続されて、その両端が外部接続用端子４１Ａ，４１Ｂに接続されている。フォトトランジスタ１８４と抵抗１８６との接続点には、第１のトランジスタ１８７における制御電極としてのベースが接続されている。第１のトランジスタ１８７における第１の主電極としてのコレクタが抵抗１８９の一端に接続されている。第２のトランジスタ１８８における第１の主電極としてのコレクタが抵抗１９０の一端に接続されている。その抵抗１９０の他端が、抵抗１８９の他端及びフォトトランジスタ１８４の一方の主電極と共に外部接続用端子４１Ａに接続されている。第１のトランジスタ１８７及び第２のトランジスタ１８８における各第２の主電極としてのエミッタが共にＬＥＤ１８３のアノードに接続されている。第１のトランジス１タ８７における第１の主電極と抵抗１８９との接続点には、抵抗１９２と加速コンデンサ１９３との並列接続の一端が接続されている。抵抗１９２と加速コンデンサ１９３との並列接続の他端が、抵抗１９１の一端と第２のトランジスタ１８８の制御電極としてのベースとに接続されている。抵抗１９１の他端は、抵抗１８６の他端及びＬＥＤ１８３のカソードと共に外部接続用端子４１Ｂに接続されている。
【００６７】
センサ本体部１８０Ａの動作原理について説明する。ＬＥＤ１８３とフォトトランジスタ１８４とで、フォトインタラプタが構成されている。ＬＥＤ１８３による発光がフォトトランジスタ１８４で検出されることで、光路が開放されており、パチンコ玉１が光路を遮断していない状態と判断される。一方、ＬＥＤ１８３による発光がフォトトランジスタ１８４で検出されないと光路がパチンコ玉１で遮断されている状態と判断される。抵抗１９１及び抵抗１９２により第２のトランジスタ１８８から第１のトランジスタ１８７に信号を帰還している。またＬＥＤ１８３により第１のトランジスタ１８７からの出力を次段である第２のトランジスタ１８８へ入力している。第１のトランジスタ１８７と第２のトランジスタ１８８とは何れか一方がＯＮの状態では他方がＯＦＦ状態となる。
【００６８】
通常、ＬＥＤ１８３からの光がフォトトランジスタ１８４に入射されているため、フォトトランジスタ１８４がＯＮ状態となり、第１のトランジスタ１８７がＯＮ状態となり、第２のトランジスタ１８８がＯＦＦ状態となっている。
【００６９】
ＬＥＤ１８３からの光がフォトトランジスタ１８４に入射しなくなると、第１のトランジスタ１８７のベース電位が下がり、第１のトランジスタ１８７がＯＦＦ状態となる。それに伴い、第２のトランジスタ１８８のベース電位が上がり、第２のトランジスタ１８８のコレクタ電流が大きくなる。そして、第１のトランジスタ１８７と第２のトランジス１タ８８のエミッタ電位が下がり、第２のトランジスタ１８８のコレクタ電流が益々流れる。このように、第２のトランジスタ１８８のコレクタ電流が益々流れ、第１のトランジスタ１８７のコレクタ電流が益々減る。その結果、第２のトランジスタ１８８がＯＮ状態となる。
【００７０】
次に、ＬＥＤ１８３からの光がフォトトランジスタ１８４に入射するようになると、第１のトランジスタ１８７のベース電位が上昇し、第１のトランジスタ１８７がＯＮ状態となる。それに伴い、第１のトランジスタ１８７のコレクタ電流が流れ始め、第１のトランジスタ１８７のコレクタ電位が下がる。すると、第２のトランジスタ１８８のベース電位が下がり、第２のトランジスタ１８８のコレクタ電流が小さくなる。そして、第１のトランジスタ１８７及び第２のトランジスタ１８８におけるエミッタ電位が下がり、第１のトランジスタ１８７のコレクタ電流が増加する。そうなると、さらに、第１のトランジスタ１８７のコレクタ電位が益々下がる。このように、第１のトランジスタ１８７のコレクタ電流が益々流れ、第２のトランジスタ１８８のコレクタ電流が益々減る。その結果、第２のトランジスタ１８８がＯＦＦ状態となる。
【００７１】
フォトトランジスタ１８４からなる外乱光監視部１８０Ｂは、外乱光が入力されたときに、接続用配線１１Ａと接続用配線１１Ｂとを導通して、接続用配線１１Ｂに接続された負荷抵抗ＲLに対して電圧Ｖcc−Ｖce(sat)が印加される。よって、外乱光の入力があると、外部接続用端子４１Ｂに出力される電圧はＶcc−Ｖce(sat)となる。ここで、Ｖce(sat)は、フォトトランジスタ１８５におけるコレクタ、エミッタ間の飽和電圧である。
【００７２】
パチンコ玉１が通過しておらずフォトトランジスタ１８４がＬＥＤ１８３からの光を検知している場合には、第１のトランジスタ１８７がＯＮ状態となり、第２のトランジスタ１８８がＯＦＦ状態となる。この状態の等価回路は、抵抗１８６、第２の抵抗１８９の各抵抗値をＲ1，Ｒ2とし、Ｒ1＞＞Ｒ2の条件下において、抵抗１８９とＬＥＤ１８３との直列接続に対し抵抗１８６が並列接続され、その両端が外部接続用端子４１Ａ，４１Ｂに接続されたものとして表すことができる。よって、パチンコ玉１が通過していない状態では、外部接続用端子４１Ｂに出力される電圧は（Ｖcc−ＶF）ＲL／（Ｒ1Ｒ2／（Ｒ1＋Ｒ2）＋ＲL）≒（Ｖcc−ＶF）ＲL／（Ｒ2＋ＲL）となる。ただし、ＶFはＬＥＤ１８３の順方向電圧（立ち上がり電圧とも呼ぶ。）である。
【００７３】
パチンコ玉１が通過しておりフォトトランジスタ１８４がＬＥＤ１８３からの光を検知していない場合には、第１のトランジスタ１８７がＯＦＦ状態となり、第２のトランジスタ１８８がＯＮ状態となる。この状態の等価回路は、抵抗１９０、第２の抵抗１８９の各抵抗値をＲ，Ｒ2とし、Ｒ＞＞Ｒ2の条件下において、Ｖccに対し抵抗９０とＬＥＤ８３と負荷抵抗ＲLとが直列接続されたものとして表すことができる。よって、抵抗１９０の抵抗値をＲとすると、外部接続用端子１７Ｂに出力される電圧は、（Ｖcc−ＶF）ＲL／（Ｒ＋ＲL）となる。ただし、ＶFはＬＥＤ１８３の順方向電圧（立ち上がり電圧とも呼ぶ。）である。
【００７４】
図１５に示すフォトセンサ１８０においても、外乱光があった場合、パチンコ玉１が通過していない場合と通過している場合とで、それぞれ出力を、Ｖcc−Ｖce(sat)、ＶccＲL／（Ｒ2＋ＲL）、（Ｖcc−ＶF）ＲL／（Ｒ＋ＲL）の三段階に区分けすることができるので、出力信号の大きさに応じてパチンコ玉１の通過を確認することができる。
【００７５】
図１６は図１５に示す回路の変形例を示す回路図である。図１６に示すフォトセンサ２００の回路では、外部接続用端子４１Ａ，４１Ｂとセンサ本体部１８０Ａと外乱光監視部２００Ｂを備えている点において図１５に示す回路図と同じであるが、外乱光監視部２００Ｂの構成が異なる。
【００７６】
外乱光監視部２００Ｂは、外部接続用端子４１Ａ及び４１Ｂに対して増幅用トランジスタ２０２が並列接続されており、増幅用トランジスタ２０２の制御電極としてのベースに対しフォトトランジスタ２０１の第２主電極としてのエミッタが接続されている。すなわち、外乱光監視部２００Ｂはフォトダーリントントランジスタで構成してもよい。これは、パチンコ玉が通過している状態においてフォトトランジスタ１８４へ影響を及ぼす外乱光が意図的に照射されたとき、外乱光監視部２００Ｂの設置箇所と光検出素子２０１の検出感度に応じて増幅用トランジスタ２０２により検出感度を増加させるためである。
【００７７】
以上、本発明の実施形態を説明したが、フォトセンサの回路構成は図９〜図１６に示したものに限定されることなく、それと等価な回路まで含まれるものとする。例えば各フォトトランジスタ及びトランジスタにおけるエミッタとコレクタとは接続が逆であってもよい。また、図９〜図１６においては、外部接続用端子４１Ａの一端を電源Ｖｃｃに接続し、外部接続用端子４１Ｂに負荷抵抗ＲLを接続しているが、外部接続用端子４１Ａに負荷抵抗ＲLを介在して電源Ｖｃｃを接続し、外部接続用端子４１Ｂを接地して、負荷抵抗ＲLの外部接続用端子４１Ａ側を出力としてもよい。具体的には図１７に示すように、外部接続用端子４１Ａを、電源Ｖｃｃに接続された負荷抵抗ＲLの一端に対して外部接続用配線１１Ａを介在して接続し、外部接続用端子４１Ｂを外部接続用配線１１Ｂを介在してアースに接地してもよい。その際、負荷抵抗ＲLの外部接続用端子４１Ａ側を出力とする。なお、図１７において、センサ本体部２１０Ａ，外乱光監視部２１０Ｂ，ツェナーダイオード２１２については、前述と同様である。
【００７８】
以上説明したように、本発明の実施形態においては、発光素子と受光素子との間の光路が、開口の中心付近を通らないよう、即ち、連続的に通過する被検出物同士の接点が存在し得ない領域を通るよう、発光素子と受光素子とが配置され、さらに外乱光検出素子が配置されている。よって、外乱光の影響をなくして、被検出物の数を正確にカウントすることができる。本発明の実施形態は、特許請求の範囲に記載された発明の範囲で適宜変更して実施することができることは説明するまでもない。例えば、パッケージに設けた開口は矩形である必要はなく、略円形状、略楕円形状であってもよいことはいうまでもない。
【符号の説明】
【００７９】
１，１Ａ，１Ｂ：パチンコ玉
２：通路
３：通路形成部品
１０，２０，６０，７０：フォトセンサ
１１Ａ，１１Ｂ：接続用配線
１２，２３，６２，７２：パッケージ
１３，２８Ａ，６３，７３：発光素子
１４，２８Ｂ，６４，７４：受光素子
１５，２８Ｃ，６５，７５：外乱光検出素子
１６，２９：光学部品
１７：プリント基板
１８：コネクタ
１９Ａ，１９Ｂ，１９Ｃ，３０Ａ，３０Ｂ，３０Ｃ，６９Ａ，６９Ｂ，６９Ｃ，７９Ａ，７９Ｂ，７９Ｃ：絞り
２１：筐体
２１Ａ：通路形成部
２１Ｂ：収容部
２２：蓋体
２４：外枠
２５：仕切り枠
２６Ａ，２６Ｂ，２６Ｃ：仕切り
２７：蓋部
２７Ａ，２７Ｂ，２７Ｃ：収容領域
２７Ｄ，２７Ｅ，２７Ｆ：透過部
２８：モジュール
２８Ｄ：コネクタ接続部
Ｃ：開口
【図１】
2013128570.tif 000003
【図２】
2013128570.tif 000004
【図３】
2013128570.tif 000005
【図４】
2013128570.tif 000006
【図５】
2013128570.tif 000007
【図６】
2013128570.tif 000008
【図７】
2013128570.tif 000009
【図８】
2013128570.tif 000010
【図９】
2013128570.tif 000011
【図１０】
2013128570.tif 000012
【図１１】
2013128570.tif 000013
【図１２】
2013128570.tif 000014
【図１３】
2013128570.tif 000015
【図１４】
2013128570.tif 000016
【図１５】
2013128570.tif 000017
【図１６】
2013128570.tif 000018
【図１７】
2013128570.tif 000019